(57)【特許請求の範囲】
【請求項１】
カテゴリを表すタグ情報および主要被写体領域を表す枠情報が付与された画像を表示する装置であって、
ユーザが指を画面に接触させて操作するタッチ操作により入力された指示を受け取るタッチパネルと、
前記タッチパネルを介して入力されたユーザのタッチ操作を検出するタッチ操作検出部と、
前記タグ情報および前記枠情報が付与された画像を保存する画像保存部と、
前記タグ情報に基づいて、前記タッチ操作により指定されたタグ情報に対応するカテゴリの画像を、前記画像保存部に保存された画像の中から選択する画像選択部と、
前記枠情報に基づいて、前記画像選択部により選択されたカテゴリの画像の主要被写体領域を抽出し、該抽出した主要被写体領域を、前記タッチ操作により指定されたタグ情報に対応する画像表示手順に従って、所定の順番で前記タッチパネルの画面上に表示する表示制御部とを備えることを特徴とする画像表示装置。
【請求項２】
前記表示制御部は、表示の順番が連続する２枚の画像が、撮影日時の差が所定時間以下の隣接画像である場合に、その旨を表す隣接画像情報を表示するものである請求項１に記載の画像表示装置。
【請求項３】
前記表示制御部は、表示の順番が連続する２枚の画像が類似画像である場合に、その旨を表す類似画像情報を表示するものである請求項１または２に記載の画像表示装置。
【請求項４】
前記表示制御部は、表示中の画像と同時間帯に撮影された画像が他のカテゴリの画像の中にある場合に、その旨を表す相互情報を表示するものである請求項１〜３のいずれかに記載の画像表示装置。
【請求項５】
前記表示制御部は、前記枠情報に基づいて、表示中の画像の主要被写体領域を表す表示枠と同形状の表示枠が指定された画像が他のカテゴリの画像の中にある場合に、その旨を表す空間情報を表示するものである請求項１〜４のいずれかに記載の画像表示装置。
【請求項６】
前記表示制御部は、前記タッチ操作により指定されたタグ情報に対応するカテゴリの画像のうち、撮影日時が最も古い画像と撮影日時が最も新しい画像との時間差を表す総計時間情報を表示するものである請求項１〜５のいずれかに記載の画像表示装置。
【請求項７】
前記画像選択部は、前記タッチパネルの画面に表示された、前記タグ情報に対応する所定数のタグボタンのうち、前記タッチ操作により指定されたタグボタンに対応するカテゴリの画像を選択するものである請求項１〜６のいずれかに記載の画像表示装置。
【請求項８】
前記表示制御部は、第１タグボタンがタップされた後、前記指が該第１タグボタンに接触された状態で任意の方向へスライドされたことを、前記タッチ操作検出部が検出した場合に、前記第１タグボタンの位置から画像を順次引き出して前記指がスライドされた方向へ該画像を順次移動しながら表示し、表示中の画像が所定数を超えると、引き出した順番で所定数を超える画像を順次非表示とし、
前記指が逆方向へスライドされたことを、前記タッチ操作検出部が検出した場合に、前記表示中の画像を、該指が逆方向にスライドされた方向へ順次移動し、前記非表示とした画像を非表示とした順番の逆の順番で順次表示すると共に、該表示中の画像を、引き出した順番の逆の順番で前記第１タグボタンの位置に順次押し戻して非表示とするものである請求項７に記載の画像表示装置。
【請求項９】
前記表示制御部は、前記表示中の画像を、振り子のように揺らして表示するものである請求項８に記載の画像表示装置。
【請求項１０】
前記表示制御部は、表示の順番が連続する２枚の画像の間を接続する線を表示し、該表示の順番が連続する２枚の画像が、撮影日時の差が所定時間以下の隣接画像である場合に、その旨を表す色で、前記線を表示するものである請求項８または９に記載の画像表示装置。
【請求項１１】
前記表示制御部は、表示の順番が連続する２枚の画像の間を接続する線を表示し、該線を、該表示の順番が連続する２枚の画像の撮影日時の差に対応する長さで表示するものである請求項８または９に記載の画像表示装置。
【請求項１２】
前記表示制御部は、第２タグボタンがタップされたことを、前記タッチ操作検出部が検出した場合に、前記タッチパネルの画面上にシーソーの画像を表示し、該画面の上方から該シーソーの一方の端部の上に画像を移動し、該画像の移動に合わせて該一方の端部が下降するとともに他方の端部が上昇すると、該他方の端部の上の画像を前記画面の上方へ移動して非表示とし、続いて、該画面の上方から該他方の端部の上に次の画像を移動し、該画像の移動に合わせて該他方の端部が下降するとともに前記一方の端部が上昇すると、該一方の端部の上の画像を前記画面の上方へ移動して非表示とすることを繰り返すものである請求項７に記載の画像表示装置。
【請求項１３】
前記表示制御部は、表示の順番が連続する２枚の画像が、撮影日時の差が所定時間以下の隣接画像である場合に、その旨を表す色で、前記シーソーを表示するものである請求項１２に記載の画像表示装置。
【請求項１４】
前記表示制御部は、第３タグボタンがタップされたことを、前記タッチ操作検出部が検出した場合に、前記タッチパネルの画面の下方に画像を順次表示し、該画像を該画面の下方から上方へ順次移動して非表示とするものである請求項７に記載の画像表示装置。
【請求項１５】
前記表示制御部は、表示の順番が連続する２枚の画像が、撮影日時の差が所定時間以下の隣接画像である場合に、その旨を表す色で、前記タッチパネルの背景を表示するものである請求項１４に記載の画像表示装置。
【請求項１６】
前記表示制御部は、第４タグボタンがタップされた後、前記タッチパネルの画面の任意の位置がタップされたことを、前記タッチ操作検出部が検出した場合に、表示中の画像を非表示とするとともに、該画面のタップされた位置に次の画像を表示するものである請求項７に記載の画像表示装置。
【請求項１７】
前記表示制御部は、表示の順番が連続する２枚の画像が、撮影日時の差が所定時間以下の隣接画像である場合に、その旨を表す色で、該表示の順番が連続する２枚の画像の間を接続する線を表示するものである請求項１６に記載の画像表示装置。
【請求項１８】
前記表示制御部は、第５タグボタンがタップされた後、前記タッチパネルの画面を任意のテンポで繰り返しタップされたことを、前記タッチ操作検出部が検出した場合に、該画面が繰り返しタップされたテンポで画像を順次表示するものである請求項７に記載の画像表示装置。
【請求項１９】
前記表示制御部は、第６タグボタンがタップされたことを、前記タッチ操作検出部が検出した場合に、前記タッチパネルの画面上に画像を日めくりカレンダーの形式で表示し、
前記指が前記タッチパネルの画面に接触された状態で該画面の下方から上方へスライドされたことを、前記タッチ操作検出部が検出した場合に、表示中の画像をめくって非表示として次の画像を表示し、
前記指が前記タッチパネルの画面に接触された状態で該画面の上方から下方へスライドされたことを、前記タッチ操作検出部が検出した場合に、前の画像をめくり戻して表示中の画像を非表示として該前の画像を表示するものである請求項７に記載の画像表示装置。
【請求項２０】
前記表示制御部は、表示の順番が連続する２枚の画像が、撮影日時の差が所定時間以下の隣接画像である場合に、その旨を表す色で、前記日めくりカレンダーの形式で表示された画像の綴じ部を表す線を表示するものである請求項１９に記載の画像表示装置。
【請求項２１】
前記表示制御部は、第７タグボタンがタップされたことを、前記タッチ操作検出部が検出した場合に、前記タッチパネルの画面に地図を表示し、前記画像が撮影された時の位置情報に基づいて、前記地図上の、該画像が撮影された位置に所定のアイコンを表示するものである請求項７に記載の画像表示装置。
【請求項２２】
前記表示制御部は、第８タグボタンがタップされた後、撮影日時の新しい順番で所定数の画像をタップして選択したことを、前記タッチ操作検出部が検出した場合に、該選択された所定数の画像を、撮影日時の新しい順番で配置した後、該配置した所定数の画像の上下を反転し、該上下を反転した所定数の画像全体の上下を反転することにより、撮影日時の古い順番で配置された所定数の画像全体を表示するものである請求項７に記載の画像表示装置。
【請求項２３】
前記表示制御部は、第９タグボタンがタップされたことを、前記タッチ操作検出部が検出した場合に、前記画像選択部により選択されたカテゴリの画像の中から、前記画像が撮影された時の位置情報に基づいて、所定の場所で撮影された画像を選択して表示するものである請求項７に記載の画像表示装置。
【請求項２４】
前記表示制御部は、第１０タグボタンがタップされたことを、前記タッチ操作検出部が検出した場合に、前記画像選択部により選択されたカテゴリの画像の中から、所定の類似画像を選択して表示するものである請求項７に記載の画像表示装置。
【請求項２５】
さらに、前記タッチ操作により、既存のタグボタンに対応する画像表示手順を変更する機能を有する表示手順設定部を備える請求項７〜２４のいずれかに記載の画像表示装置。
【請求項２６】
前記表示手順設定部は、さらに、前記タッチ操作により、新たに設定された画像表示手順に対応する新たなタグボタンを追加する機能を有するものである請求項２５に記載の画像表示装置。
【請求項２７】
さらに、前記画像を撮影する画像撮影部を備え、
前記画像撮影部は、前記タッチ操作によりタップされたタグボタンに対応するタグ情報を、前記撮影した画像に付与するものである請求項７〜２６のいずれかに記載の画像表示装置。
【請求項２８】
前記画像撮影部は、前記タッチ操作により指定された、前記撮影した画像の主要被写体領域を表す枠情報を、該撮影した画像に付与するものである請求項２７に記載の画像表示装置。
【請求項２９】
前記表示制御部は、表示中の画像の主要被写体領域がタップされたことを、前記タッチ操作検出部が検出した場合に、該主要被写体領域がタップされた画像の全領域を表示するものである請求項１〜２８のいずれかに記載の画像表示装置。
【請求項３０】
前記表示制御部は、表示中の画像の主要被写体領域がピンチアウトまたはピンチインされたことを、前記タッチ操作検出部が検出した場合に、該主要被写体領域がピンチアウトまたはピンチインされた画像の全領域を拡大表示または縮小表示するものである請求項１〜２８のいずれかに記載の画像表示装置。
【請求項３１】
前記所定の順番は、前記画像選択部により選択されたカテゴリの画像の撮影日時の順番である請求項１〜３０のいずれかに記載の画像表示装置。
【請求項３２】
前記表示制御部は、前記画像選択部により選択されたカテゴリの画像の中から、所定の類似画像を選択して表示するものであり、
前記所定の順番は、前記類似画像の評価値の順番である請求項１〜３０のいずれかに記載の画像表示装置。
【請求項３３】
前記所定の順番は、前記画像選択部により選択されたカテゴリの画像、ないし、該画像選択部により選択されたカテゴリの画像の中から選択された場所で撮影された画像の中の、ある画像の撮影場所から各々の画像の撮影場所までの距離の順番である請求項１〜３０のいずれかに記載の画像表示装置。
【請求項３４】
さらに、前記表示制御部が、前記所定の順番として、前記画像選択部により選択されたカテゴリの画像を、該画像の撮影日時の順番で表示するか、前記画像選択部により選択されたカテゴリの画像の中から、所定の類似画像を選択し、該類似画像を、該類似画像の評価値の順番で表示するか、前記画像選択部により選択されたカテゴリの画像、ないし、該画像選択部により選択されたカテゴリの画像の中から選択された場所で撮影された画像を、その中の、ある画像の撮影場所から各々の画像の撮影場所までの距離の順番で表示するかを切り替える表示切替部を備える請求項１〜３０のいずれかに記載の画像表示装置。
【請求項３５】
カテゴリを表すタグ情報および主要被写体領域を表す枠情報が付与された画像を表示する方法であって、
ユーザが指を画面に接触させて操作するタッチ操作により入力された指示を受け取るタッチパネルを介して入力されたユーザのタッチ操作を検出するタッチ操作検出ステップと、
前記タグ情報に基づいて、前記タッチ操作により指定されたタグ情報に対応するカテゴリの画像を、画像保存部に保存され、前記タグ情報および前記枠情報が付与された画像の中から選択する画像選択ステップと、
前記枠情報に基づいて、前記選択されたカテゴリの画像の主要被写体領域を抽出し、該抽出した主要被写体領域を、前記タッチ操作により指定されたタグ情報に対応する画像表示手順に従って、所定の順番で前記タッチパネルの画面上に表示する画像表示ステップとを含むことを特徴とする画像表示方法。
【請求項３６】
請求項３５の画像表示方法の各々のステップをコンピュータに実行させるためのプログラム。
【請求項３７】
請求項３５の画像表示方法の各々のステップをコンピュータに実行させるためのプログラムが記録されたコンピュータ読み取り可能な記録媒体。
【発明の詳細な説明】
【技術分野】
【０００１】
本発明は、膨大な数の画像を一次元的に再生表示する画像表示装置、画像表示方法およびプログラムに関するものである。
【背景技術】
【０００２】
現在、デジタルカメラや、カメラ機能を有する携帯電話等の普及により、画像（写真）の撮影が気軽に行われている。その結果、膨大な数の画像が蓄積され、これら膨大な数の画像を効率良く整理し、表示することが求められている。
ここで、画像の整理とは、例えば、Ａ，Ｂ，Ｃと仕分けられるべき画像の組がランダムに１箇所に格納されている場合に、１箇所に格納された画像をＡ，Ｂ，Ｃと仕分けて格納し直すことである。
【０００３】
例えば、撮影を行って、その画像を保存することを繰り返し行って、その結果、膨大な数の画像が１つのフォルダに格納されているとする。従来は、１つのフォルダに格納された膨大な数の画像を整理するために、例えば、仕分け用の複数のフォルダを別途作成し、膨大な数の画像が格納された１つのフォルダから、それぞれの仕分け用フォルダの中に該当する画像を順次移動するという作業が人手で行われている。
【０００４】
上記の画像の整理方法に限らず、膨大な数の画像の整理方法は従来から多数提案されているが、膨大な数の画像の表示方法は、例えば、スライドショーやサムネイル形式での表示以外ほとんど提案されていない。
【０００５】
例えば、特許文献１には、撮影画像を電気的に表現される画像データに変換して記録し、それを再生する電子アルバム装置において、各画像データに付属されるファイル名、日付等の基本属性から、複数枚の画像データをカテゴリ毎にグループに自動分類し、画面上にサムネイルと、そのグループに属する画像の枚数、撮影日時と共に表示する電子アルバム装置が記載されている。
【先行技術文献】
【特許文献】
【０００６】
【特許文献１】特開２００３−１９９０２８号公報
【発明の概要】
【発明が解決しようとする課題】
【０００７】
本発明の目的は、前記従来技術の問題点を解消し、膨大な数の画像を効率良く再生表示することができる画像表示装置、画像表示方法およびプログラムを提供することにある。
【課題を解決するための手段】
【０００８】
上記目的を達成するために、本発明は、カテゴリを表すタグ情報および主要被写体領域を表す枠情報が付与された画像を表示する装置であって、
ユーザが指を画面に接触させて操作するタッチ操作により入力された指示を受け取るタッチパネルと、
タッチパネルを介して入力されたユーザのタッチ操作を検出するタッチ操作検出部と、
タグ情報および枠情報が付与された画像を保存する画像保存部と、
タグ情報に基づいて、タッチ操作により指定されたタグ情報に対応するカテゴリの画像を、画像保存部に保存された画像の中から選択する画像選択部と、
枠情報に基づいて、画像選択部により選択されたカテゴリの画像の主要被写体領域を抽出し、抽出した主要被写体領域を、タッチ操作により指定されたタグ情報に対応する画像表示手順に従って、所定の順番でタッチパネルの画面上に表示する表示制御部とを備えることを特徴とする画像表示装置を提供するものである。
【０００９】
ここで、表示制御部は、表示の順番が連続する２枚の画像が、撮影日時の差が所定時間以下の隣接画像である場合に、その旨を表す隣接画像情報を表示するものであることが好ましい。
【００１０】
また、表示制御部は、表示の順番が連続する２枚の画像が類似画像である場合に、その旨を表す類似画像情報を表示するものであることが好ましい。
【００１１】
また、表示制御部は、表示中の画像と同時間帯に撮影された画像が他のカテゴリの画像の中にある場合に、その旨を表す相互情報を表示するものであることが好ましい。
【００１２】
また、表示制御部は、枠情報に基づいて、表示中の画像の主要被写体領域を表す表示枠と同形状の表示枠が指定された画像が他のカテゴリの画像の中にある場合に、その旨を表す空間情報を表示するものであることが好ましい。
【００１３】
また、表示制御部は、タッチ操作により指定されたタグ情報に対応するカテゴリの画像のうち、撮影日時が最も古い画像と撮影日時が最も新しい画像との時間差を表す総計時間情報を表示するものであることが好ましい。
【００１４】
また、画像選択部は、タッチパネルの画面に表示された、タグ情報に対応する所定数のタグボタンのうち、タッチ操作により指定されたタグボタンに対応するカテゴリの画像を選択するものであることが好ましい。
【００１５】
また、表示制御部は、第１タグボタンがタップされた後、指が第１タグボタンに接触された状態で任意の方向へスライドされたことを、タッチ操作検出部が検出した場合に、第１タグボタンの位置から画像を順次引き出して指がスライドされた方向へ画像を順次移動しながら表示し、表示中の画像が所定数を超えると、引き出した順番で所定数を超える画像を順次非表示とし、
指が逆方向へスライドされたことを、タッチ操作検出部が検出した場合に、表示中の画像を、指が逆方向にスライドされた方向へ順次移動し、非表示とした画像を非表示とした順番の逆の順番で順次表示すると共に、表示中の画像を、引き出した順番の逆の順番で第１タグボタンの位置に順次押し戻して非表示とするものであることが好ましい。
【００１６】
また、表示制御部は、表示中の画像を、振り子のように揺らして表示するものであることが好ましい。
【００１７】
また、表示制御部は、表示の順番が連続する２枚の画像の間を接続する線を表示し、表示の順番が連続する２枚の画像が、撮影日時の差が所定時間以下の隣接画像である場合に、その旨を表す色で、線を表示するものであることが好ましい。
【００１８】
また、表示制御部は、表示の順番が連続する２枚の画像の間を接続する線を表示し、線を、表示の順番が連続する２枚の画像の撮影日時の差に対応する長さで表示するものであることが好ましい。
【００１９】
また、表示制御部は、第２タグボタンがタップされたことを、タッチ操作検出部が検出した場合に、タッチパネルの画面上にシーソーの画像を表示し、画面の上方からシーソーの一方の端部の上に画像を移動し、画像の移動に合わせて一方の端部が下降するとともに他方の端部が上昇すると、他方の端部の上の画像を画面の上方へ移動して非表示とし、続いて、画面の上方から他方の端部の上に次の画像を移動し、画像の移動に合わせて他方の端部が下降するとともに一方の端部が上昇すると、一方の端部の上の画像を画面の上方へ移動して非表示とすることを繰り返すものであることが好ましい。
【００２０】
また、表示制御部は、表示の順番が連続する２枚の画像が、撮影日時の差が所定時間以下の隣接画像である場合に、その旨を表す色で、シーソーを表示するものであることが好ましい。
【００２１】
また、表示制御部は、第３タグボタンがタップされたことを、タッチ操作検出部が検出した場合に、タッチパネルの画面の下方に画像を順次表示し、画像を画面の下方から上方へ順次移動して非表示とするものであることが好ましい。
【００２２】
また、表示制御部は、表示の順番が連続する２枚の画像が、撮影日時の差が所定時間以下の隣接画像である場合に、その旨を表す色で、タッチパネルの背景を表示するものであることが好ましい。
【００２３】
また、表示制御部は、第４タグボタンがタップされた後、タッチパネルの画面の任意の位置がタップされたことを、タッチ操作検出部が検出した場合に、表示中の画像を非表示とするとともに、画面のタップされた位置に次の画像を表示するものであることが好ましい。
【００２４】
また、表示制御部は、表示の順番が連続する２枚の画像が、撮影日時の差が所定時間以下の隣接画像である場合に、その旨を表す色で、表示の順番が連続する２枚の画像の間を接続する線を表示するものであることが好ましい。
【００２５】
また、表示制御部は、第５タグボタンがタップされた後、タッチパネルの画面を任意のテンポで繰り返しタップされたことを、タッチ操作検出部が検出した場合に、画面が繰り返しタップされたテンポで画像を順次表示するものであることが好ましい。
【００２６】
また、表示制御部は、第６タグボタンがタップされたことを、タッチ操作検出部が検出した場合に、タッチパネルの画面上に画像を日めくりカレンダーの形式で表示し、
指がタッチパネルの画面に接触された状態で画面の下方から上方へスライドされたことを、タッチ操作検出部が検出した場合に、表示中の画像をめくって非表示として次の画像を表示し、
指がタッチパネルの画面に接触された状態で画面の上方から下方へスライドされたことを、タッチ操作検出部が検出した場合に、前の画像をめくり戻して表示中の画像を非表示として前の画像を表示するものであることが好ましい。
【００２７】
また、表示制御部は、表示の順番が連続する２枚の画像が、撮影日時の差が所定時間以下の隣接画像である場合に、その旨を表す色で、日めくりカレンダーの形式で表示された画像の綴じ部を表す線を表示するものであることが好ましい。
【００２８】
また、表示制御部は、第７タグボタンがタップされたことを、タッチ操作検出部が検出した場合に、タッチパネルの画面に地図を表示し、画像が撮影された時の位置情報に基づいて、地図上の、画像が撮影された位置に所定のアイコンを表示するものであることが好ましい。
【００２９】
また、表示制御部は、第８タグボタンがタップされた後、撮影日時の新しい順番で所定数の画像をタップして選択したことを、タッチ操作検出部が検出した場合に、選択された所定数の画像を、撮影日時の新しい順番で配置した後、配置した所定数の画像の上下を反転し、上下を反転した所定数の画像全体の上下を反転することにより、撮影日時の古い順番で配置された所定数の画像全体を表示するものであることが好ましい。
【００３０】
また、表示制御部は、第９タグボタンがタップされたことを、タッチ操作検出部が検出した場合に、画像選択部により選択されたカテゴリの画像の中から、画像が撮影された時の位置情報に基づいて、所定の場所で撮影された画像を選択して表示するものであることが好ましい。
【００３１】
また、表示制御部は、第１０タグボタンがタップされたことを、タッチ操作検出部が検出した場合に、画像選択部により選択されたカテゴリの画像の中から、所定の類似画像を選択して表示するものであることが好ましい。
【００３２】
さらに、タッチ操作により、既存のタグボタンに対応する画像表示手順を変更する機能を有する表示手順設定部を備えることが好ましい。
【００３３】
また、表示手順設定部は、さらに、タッチ操作により、新たに設定された画像表示手順に対応する新たなタグボタンを追加する機能を有するものであることが好ましい。
【００３４】
さらに、画像を撮影する画像撮影部を備え、
画像撮影部は、タッチ操作によりタップされたタグボタンに対応するタグ情報を、撮影した画像に付与するものであることが好ましい。
【００３５】
また、画像撮影部は、タッチ操作により指定された、撮影した画像の主要被写体領域を表す枠情報を、撮影した画像に付与するものであることが好ましい。
【００３６】
また、表示制御部は、表示中の画像の主要被写体領域がタップされたことを、タッチ操作検出部が検出した場合に、主要被写体領域がタップされた画像の全領域を表示するものであることが好ましい。
【００３７】
また、表示制御部は、表示中の画像の主要被写体領域がピンチアウトまたはピンチインされたことを、タッチ操作検出部が検出した場合に、主要被写体領域がピンチアウトまたはピンチインされた画像の全領域を拡大表示または縮小表示するものであることが好ましい。
【００３８】
また、所定の順番は、画像選択部により選択されたカテゴリの画像の撮影日時の順番であることが好ましい。
【００３９】
また、表示制御部は、画像選択部により選択されたカテゴリの画像の中から、所定の類似画像を選択して表示するものであり、
所定の順番は、類似画像の評価値の順番であることが好ましい。
【００４０】
また、所定の順番は、画像選択部により選択されたカテゴリの画像、ないし、画像選択部により選択されたカテゴリの画像の中から選択された場所で撮影された画像の中の、ある画像の撮影場所から各々の画像の撮影場所までの距離の順番であることが好ましい。
【００４１】
さらに、表示制御部が、所定の順番として、画像選択部により選択されたカテゴリの画像を、画像の撮影日時の順番で表示するか、画像選択部により選択されたカテゴリの画像の中から、所定の類似画像を選択し、類似画像を、類似画像の評価値の順番で表示するか、画像選択部により選択されたカテゴリの画像、ないし、画像選択部により選択されたカテゴリの画像の中から選択された場所で撮影された画像を、その中の、ある画像の撮影場所から各々の画像の撮影場所までの距離の順番で表示するかを切り替える表示切替部を備えることが好ましい。
【００４２】
また、本発明は、カテゴリを表すタグ情報および主要被写体領域を表す枠情報が付与された画像を表示する方法であって、
ユーザが指を画面に接触させて操作するタッチ操作により入力された指示を受け取るタッチパネルを介して入力されたユーザのタッチ操作を検出するタッチ操作検出ステップと、
タグ情報に基づいて、タッチ操作により指定されたタグ情報に対応するカテゴリの画像を、画像保存部に保存され、タグ情報および枠情報が付与された画像の中から選択する画像選択ステップと、
枠情報に基づいて、選択されたカテゴリの画像の主要被写体領域を抽出し、抽出した主要被写体領域を、タッチ操作により指定されたタグ情報に対応する画像表示手順に従って、所定の順番でタッチパネルの画面上に表示する画像表示ステップとを含むことを特徴とする画像表示方法を提供する。
【００４３】
また、本発明は、上記に記載の画像表示方法の各々のステップをコンピュータに実行させるためのプログラムを提供する。
【００４４】
また、本発明は、上記に記載の画像表示方法の各々のステップをコンピュータに実行させるためのプログラムが記録されたコンピュータ読み取り可能な記録媒体を提供する。
【発明の効果】
【００４５】
本発明では、画像保存部に保存された膨大な数の画像の中から、タッチ操作により指定されたタグ情報に対応するカテゴリの画像を選択し、枠情報に基づいて、選択されたカテゴリの画像から、ユーザが最も関心のある注目領域である主要被写体領域を抽出し、抽出した主要被写体領域を、タッチ操作により指定されたタグ情報に対応する画像表示手順に従って、所定の順番でタッチパネルの画面上に効率良く再生表示することができる。
【図面の簡単な説明】
【００４６】
【図１】（Ａ）および（Ｂ）は、本発明の画像表示装置の外観を表す一実施形態の概念図である。
【図２】図１に示す画像表示装置の構成を表すブロック図である。
【図３】図１に示す画像表示装置において、本発明の画像表示方法を実行するカメラアプリを起動した時のタッチパネルの画面の様子を表す概念図である。
【図４】画像表示手順として、ふりふり再生の様子を表す概念図である。
【図５】画像表示手順として、シーソー再生の様子を表す概念図である。
【図６】画像表示手順として、バブル再生の様子を表す概念図である。
【図７】画像表示手順として、タッチ再生の様子を表す概念図である。
【図８】画像表示手順として、テンポ再生の様子を表す概念図である。
【図９】画像表示手順として、カレンダー再生の様子を表す概念図である。
【図１０】画像表示手順として、マップ再生の様子を表す概念図である。
【図１１】（Ａ）および（Ｂ）は、画像表示手順として、レイアウト再生の様子を表す概念図である。
【図１２】図１および図２に示す画像表示装置の動作を表すフローチャートである。
【図１３】（Ａ）は、タッチ操作により、主要被写体領域を表す表示枠を指定する様子を表す概念図、（Ｂ）は、主要被写体領域を表す表示枠の他の形状を表す概念図である。
【発明を実施するための形態】
【００４７】
以下に、添付の図面に示す好適実施形態に基づいて、本発明の画像表示装置、画像表示方法およびプログラムを詳細に説明する。
【００４８】
図１（Ａ）および（Ｂ）は、本発明の画像表示装置の外観を表す一実施形態の概念図、図２は、図１に示す画像表示装置の構成を表すブロック図である。図１に示す画像表示装置１０は、カテゴリを表すタグ情報および主要被写体領域を表す枠情報が付与された画像を一次元的に表示するスマートフォン等の携帯端末であり、図２に示すように、タッチパネル１２と、タッチ操作検出部１４と、画像保存部１６と、画像選択部１８と、表示制御部２０と、表示手順設定部２２と、画像撮影部２４とによって構成されている。
【００４９】
タッチパネル１２は、図１（Ａ）に示すように、画像表示装置１０のおもて面に配置されている。
タッチパネル１２は、液晶パネル等の情報の表示装置と、タッチパッド等の位置入力装置とを組み合わせたものであり、各種の情報を表示するとともに、ユーザが指を画面に接触させて操作するタッチ操作により入力された指示を受け取るものである。
タッチパネル１２には、例えば、抵抗膜方式、静電容量方式の他、様々な方式のものがあるが、画像表示装置１０では、タッチ操作により指示を入力することができるものがいずれも利用可能である。
【００５０】
図１（Ａ）に示すように、タッチパネル１２の画面には、複数のアプリケーションプログラムのアイコン２６が並べて表示されている。
本実施形態の場合、タッチ操作により所定のアイコン２６を指でタップして、本発明の画像表示方法を実行するカメラアプリのプログラムを起動すると、図３に示すように、タッチパネル１２の画面の右辺に沿って、好きな画像、気になる画像、大事な画像、見たい・見せたい画像、とりあえず撮影という５つのカテゴリを表すタグ情報に対応する５つのタグボタン３０ａ、３０ｂ、３０ｃ、３０ｄ、３０ｅが表示される。
【００５１】
タッチ操作検出部１４は、タッチパネル１２を介して入力されたユーザのタッチ操作を検出するものである。
本実施形態の場合、ユーザは、タッチ操作により所定のタグボタンをタップ（操作対象に指を触れてすぐに離す）して、タグボタンすなわちカテゴリを表すタグ情報に対応するカテゴリの画像を選択したり、タグボタンに対応する画像表示手順を設定したりすることができる。
【００５２】
画像保存部１６は、カテゴリを表すタグ情報および枠情報が付与された画像（写真）、すなわち、その画像データを保存するものである。
画像保存部１６は、画像撮影部２４により撮影された画像の他、デジタルカメラ等により撮影された画像を保存してもよい。
また、画像保存部１６は、全画像を１つのフォルダに格納してもよいし、カテゴリを表すタグ情報に基づいてそれぞれの画像を仕分けし、それぞれ対応する仕分け用フォルダに分類して格納してもよい。
【００５３】
画像選択部１８は、各々の画像のカテゴリを表すタグ情報に基づいて、タッチ操作により指定されたカテゴリを表すタグ情報（タグボタン）に対応するカテゴリの画像を、画像保存部１６に保存された画像の中から選択するものである。
本実施形態の場合、画像選択部１８は、タッチパネル１２の画面に表示された、カテゴリを表すタグ情報に対応する５つのタグボタン３０ａ〜３０ｅのうち、タッチ操作により指定されたタグボタンに対応するカテゴリの画像を選択する。
【００５４】
表示制御部２０は、各々の画像の枠情報に基づいて、画像選択部１８により選択されたカテゴリの画像の主要被写体領域を抽出し、抽出した主要被写体領域を、タッチ操作により指定されたカテゴリを表すタグ情報（タグボタン）に対応する画像表示手順に従って、所定の順番でタッチパネル１２の画面上に一次元的に表示するものである。
ここで、主要被写体領域は、枠情報に基づいて、主要被写体が含まれる領域を表す表示枠で指定された領域であり、ユーザが最も関心のある注目領域である。
【００５５】
ここで、表示制御部２０は、画像選択部１８により選択されたカテゴリの画像の主要被写体領域を、例えば、画像選択部１８により選択されたカテゴリの画像の撮影日時の順番で表示することができる。また、表示制御部２０は、画像選択部１８により選択されたカテゴリの画像の中から、所定の類似画像を選択して表示することができ、この場合、類似画像の評価値の順番で表示することができる。
【００５６】
ここで、類似画像の評価値は、表示制御部２０が、各々の類似画像について、例えば、顔検出処理、明るさ判定処理、色評価処理、ボケブレ評価処理等の画像解析処理を実施することにより得ることができる。表示制御部２０は、例えば、類似画像を評価値が高い順番で表示したり、評価値が低い順番で表示したり、あるいは、所定の閾値以上の評価値を持つ類似画像のみを表示したりすることができる。
【００５７】
さらに、図示していない表示切替部を備え、表示制御部２０が、前述の所定の順番として、画像選択部１８により選択されたカテゴリの画像を、画像の撮影日時の順番で表示するか、画像選択部１８により選択されたカテゴリの画像の中から、所定の類似画像を選択し、類似画像を、類似画像の評価値の順番で表示するかを切り替えるようにすることも可能である。
【００５８】
また、表示制御部２０は、画像をタッチパネル１２の画面上に表示する時同時に、隣接画像情報、類似画像情報、相互情報、空間情報、総計時間情報のうちの少なくとも１つを表示することができる。
【００５９】
隣接画像情報は、表示の順番（例えば、撮影日時の順番）が連続する２枚の画像が、撮影日時の差が所定時間以下の隣接画像であるか否かを表す情報である。所定時間は、例えば３０分であるが、これに限らず任意の時間とすることができる。
類似画像情報は、表示の順番が連続する２枚の画像が類似画像であるか否かを表す情報である。
相互情報は、表示中の画像と同時間帯に撮影された画像が他のカテゴリの画像の中にあるか否かを表す情報である。
空間情報は、表示中の画像の主要被写体領域を示す表示枠と同形状の表示枠が指定された画像が他のカテゴリの画像の中にあるか否かを表す情報である。
総計時間情報は、タッチ操作により指定されたタグボタンすなわちカテゴリを表すタグ情報に対応するカテゴリの画像のうち、撮影日時が最も古い画像と撮影日時が最も新しい画像との時間差を表す情報である。
【００６０】
表示手順設定部２２は、タッチ操作により、既存のタグボタンに対応する画像表示手順を変更する機能、新たに設定された画像表示手順に対応する新たなタグボタンを追加する機能等を有する。
表示制御部２０は、表示手順設定部２２により設定された画像表示手順に従って、画像の表示を制御する。
【００６１】
画像撮影部２４は、カメラ等の画像を撮影する装置であり、本実施形態の場合、図１（Ａ）および（Ｂ）に示すように、画像表示装置１０のおもて面および裏面に１つずつ配置されている。おもて面のカメラは自分撮り用、裏面のカメラは一般撮影用である。
画像の撮影時には、画像撮影部２４により取り込まれた画像がタッチパネル１２の画面に表示され、ユーザがシャッタボタン２８を押すと画像撮影部２４により画像が撮影され、その画像データが画像保存部１６に保存される。
画像撮影部２４は、タッチ操作によりタップされたタグボタンに対応するカテゴリを表すタグ情報、および、枠情報を、撮影した画像に付与する。
【００６２】
次に、画像表示手順について具体例を挙げて説明する。
以下、好きな画像、気になる画像、大事な画像、見たい・見せたい画像、とりあえず撮影というカテゴリを表すタグ情報に対応する画像表示手順として、ふりふり再生、シーソー再生、バブル再生、タッチ再生、テンポ再生について説明する。
【００６３】
図３に示すように、タッチパネル１２の画面の右辺に沿って表示された５つのタグボタン３０ａ〜３０ｅのうち、一番上のタグボタン（第１タグボタン）３０ａがタップされると、表示制御部２０は、ふりふり再生を開始する。
【００６４】
ふりふり再生では、第１タグボタン３０ａがタップされた後、ユーザの指が第１タグボタン３０ａに接触された状態で任意の方向へスライド（フリック）される。
上記のタッチ操作をタッチ操作検出部１４が検出した場合、表示制御部２０は、図４に示すように、第１タグボタン３０ａの位置から画像（の主要被写体領域３２）を順次引き出して指がスライドされた方向へ画像を順次移動しながら表示する。表示中の画像が所定数を超えると、表示制御部２０は、引き出した順番で所定数を超える画像を順次表示枠で非表示とする。例えば、所定数が３枚とすると、４枚目の画像を引き出して表示するとともに、１枚目の画像を非表示とする。
一方、指が逆方向へスライドされたことを、タッチ操作検出部１４が検出した場合、表示制御部２０は、表示中の画像を、指が逆方向にスライドされた方向へ順次移動する。また、表示制御部２０は、前述の表示中の画像が所定数を超えたために非表示とした画像を非表示とした順番の逆の順番で順次表示すると共に、表示中の画像を、引き出した順番の逆の順番で第１タグボタンの位置に順次押し戻して非表示とする。
【００６５】
ここで、本実施形態では、表示中の画像を、振り子のように揺らして表示する。このように、画像を振り子のように揺らして表示することにより、好きな画像を愛らしく強調して表現することができる。
【００６６】
また、表示中の画像の主要被写体領域３２がタップされたことを、タッチ操作検出部１４が検出した場合、表示制御部２０は、主要被写体領域３２がタップされた画像の全領域を表示する。
また、表示中の画像の主要被写体領域３２がピンチアウト（２本の指で操作対象を広げるように離す）またはピンチイン（２本の指で操作対象をつまむように近づける）されたことを、タッチ操作検出部１４が検出した場合、表示制御部２０は、主要被写体領域３２がピンチアウトまたはピンチインされた画像の全領域を拡大表示または縮小表示する。
画像の全領域の表示や拡大縮小表示は、ふりふり再生に限らず、他の再生モードでも同じである。これにより、ユーザはいつでも画像の全領域を見ることができる。
【００６７】
また、表示制御部２０は、画像を表示する時同時に、表示の順番が連続する２枚の画像の間を接続する線３４を表示する。そして、表示制御部２０は、表示の順番が連続する２枚の画像が隣接画像である場合に、その旨を表す色で、線３４を表示する。表示制御部２０は、例えば、隣接画像でない場合には線３４を緑色で表示し、隣接画像の場合には線３４を赤色で表示する。これにより、ユーザは、隣接画像なのか否かを一目で認識することができる。
【００６８】
あるいは、表示制御部２０は、上記の線３４を、表示の順番が連続する２枚の画像の撮影日時の差に対応する長さで表示してもよい。これにより同様に、ユーザは、２枚の画像の撮影日時の差を一目で認識することができる。
【００６９】
また、表示制御部２０は、本実施形態の場合、タッチパネル１２の画面の下側中央部に総計時間情報を表示する。これにより、ユーザは、カテゴリ内に含まれる画像の撮影を開始してから現在までの経過時間を一目で認識することができる。ユーザは、総計時間情報を、カテゴリ内に含まれる画像を整理すべきと判断するための目安として、不要となった画像の破棄のタイミングや画像の見直しのタイミングを決定することができる。
【００７０】
さらに、表示制御部２０は、表示中の画像と同時間帯に撮影された画像が他のカテゴリの画像の中にある場合に、その旨を表す相互情報を表示したり、各々の画像の枠情報に基づいて、表示中の画像の主要被写体領域を表す表示枠と同形状の表示枠が指定された画像が他のカテゴリの画像の中にある場合に、その旨を表す空間情報を表示する。相互情報や空間情報は、例えば、他のカテゴリに対応するタグボタンを点滅させることにより表示することができる。これにより、それぞれの画像の相互性および空間性に配慮した再生表示を行うことができる。
【００７１】
続いて、５つのタグボタンのうち、上から２番目のタグボタン（第２タグボタン）３０ｂがタップされると、表示制御部２０は、シーソー再生を開始する。
【００７２】
第２タグボタン３０ｂがタップされたことを、タッチ操作検出部１４が検出した場合、表示制御部２０は、図５に示すように、タッチパネル１２の画面上にシーソー３６の画像を表示する。
続いて、タッチパネル１２の画面の上方に画像（の主要被写体領域３２）を表示した後、表示した画像を画面の上方からシーソー３６の一方の端部（図中右側の端部）の上に落下させるように移動し、画像の移動に合わせてシーソー３６の一方の端部が下降するとともに他方の端部（同左側の端部）が上昇すると、シーソー３６の他方の端部の上の画像を上昇させるように画面の上方へ移動して非表示とする。
続いて、同様に、タッチパネル１２の画面の上方に次の画像を表示した後、表示した次の画像を画面の上方からシーソー３６の他方の端部の上に移動し、画像の移動に合わせてシーソー３６の他方の端部が下降するとともに一方の端部が上昇すると、シーソー３６の一方の端部の上の画像を画面の上方へ移動して非表示とする。
以後、上記シーソー３６の動作を繰り返す。
【００７３】
また、表示制御部２０は、表示の順番が連続する２枚の画像が隣接画像である場合に、その旨を表す色で、シーソー３６を表示する。
同様に、表示制御部２０は、総計時間情報、相互情報、空間情報を表示する。
【００７４】
続いて、５つのタグボタンのうち、上から３番目のタグボタン（第３タグボタン）３０ｃがタップされると、表示制御部２０は、バブル再生を開始する。
【００７５】
第３タグボタン３０ｃがタップされたことを、タッチ操作検出部１４が検出した場合、表示制御部２０は、図６に示すように、タッチパネル１２の画面の下方に泡が発生するように画像（の主要被写体領域３２）を順次表示し、泡が上昇するように画像を画面の下方から上方へ順次移動して非表示とする。
【００７６】
また、表示制御部２０は、表示の順番が連続する２枚の画像が隣接画像である場合に、その旨を表す色で、タッチパネル１２の背景を表示する。
同様に、表示制御部２０は、総計時間情報、相互情報、空間情報を表示する。
【００７７】
続いて、５つのタグボタンのうち、上から４番目のタグボタン（第４タグボタン）３０ｄがタップされると、表示制御部２０は、タッチ再生を開始する。
【００７８】
タッチ再生では、第４タグボタン３０ｄがタップされた後、図７に示すように、タッチパネル１２の画面の任意の位置がタップされる。
タッチパネル１２の画面がタップされたことをタッチ操作検出部１４が検出した場合、表示制御部２０は、表示中の画像（の主要被写体領域３２）を非表示とするとともに、画面のタップされた位置に次の画像（の主要被写体領域３２）を表示する。以後、画面がタップされるたびに、上記の動作を繰り返す。
【００７９】
タッチ再生では、自分がタッチパネル１２の画面を順次タップして、自分が見たい画像や他の人に見せたい画像を順次表示させるだけでなく、自分と他の人が順次タップして画像を順次表示させることができる。
【００８０】
また、表示制御部２０は、表示の順番が連続する２枚の画像が隣接画像である場合に、その旨を表す色で、表示の順番が連続する２枚の画像の間を接続する線３４を所定の時間表示する。タッチ再生では、表示が連続する２枚の画像のうちの１枚の画像は非表示とされるため、これを表現するために、本実施形態では、２枚の画像の間を点線で接続している。
同様に、表示制御部２０は、総計時間情報、相互情報、空間情報を表示する。
【００８１】
続いて、５つのタグボタンのうち、上から５番目のタグボタン（第５タグボタン）３０ｅがタップされると、表示制御部２０は、テンポ再生を開始する。
【００８２】
テンポ再生では、第５タグボタン３０ｅがタップされた後、図８に示すように、タッチパネル１２の画面が、画像の切り替えタイミングを指定するための任意のテンポで繰り返しタップされる。
上記のタッチ操作をタッチ操作検出部１４が検出した場合、表示制御部２０は、画面が繰り返しタップされたテンポで画像（の主要被写体領域３２）を順次切り替えて表示する。
【００８３】
また、表示制御部２０は、本実施形態の場合、表示の順番が連続する２枚の画像が隣接画像である場合に、その旨を表す色で、タッチパネル１２の画面の下側中央部に隣接画像情報３８を表示する。
同様に、表示制御部２０は、総計時間情報、相互情報、空間情報を表示する。
【００８４】
画像表示装置１０では、前述の通り、表示手順設定部２２により、既存のタグボタン３０ａ〜３０ｅに対応する画像表示手順を変更したり、新たに設定された画像表示手順に対応する新たなタグボタンを追加することができる。
以下、変更したり新規追加するための予備の画像表示手順として、カレンダー再生、マップ再生、レイアウト再生、撮影場所再生、類似画像再生について説明する。
【００８５】
変更したり新規追加されたタグボタン（第６タグボタン）がタップされると、表示制御部２０は、カレンダー再生を開始する。
【００８６】
第６タグボタンがタップされたことを、タッチ操作検出部１４が検出した場合、表示制御部２０は、図９に示すように、タッチパネル１２の画面上に画像（の主要被写体領域３２）を日めくりカレンダーの形式で表示する。
続いて、指がタッチパネル１２の画面に接触された状態で画面の下方から上方へスライドされたことを、タッチ操作検出部１４が検出した場合、表示制御部２０は、表示中の画像を日めくりカレンダーのようにめくって非表示として次の画像を表示する。
一方、指がタッチパネル１２の画面に接触された状態で画面の上方から下方へスライドされたことを、タッチ操作検出部１４が検出した場合、表示制御部２０は、前の画像をめくり戻して表示中の画像を非表示として前の画像を表示する。
【００８７】
表示制御部２０は、表示の順番が連続する２枚の画像が隣接画像である場合に、その旨を表す色で、日めくりカレンダーの形式で表示された画像の綴じ部を表す線３４を表示する。
同様に、表示制御部２０は、総計時間情報、相互情報、空間情報を表示する。
【００８８】
続いて、変更したり新規追加されたタグボタン（第７タグボタン）がタップされると、表示制御部２０は、マップ再生を開始する。
【００８９】
第７タグボタンがタップされたことを、タッチ操作検出部１４が検出した場合、表示制御部２０は、図１０に示すように、タッチパネル１２の画面に地図４０を表示し、画像が撮影された時の位置情報に基づいて、地図４０上の、画像が撮影された位置に所定のアイコンＡ，Ｂ，Ｃ，…を表示する。
【００９０】
マップ再生では、例えば、画像表示装置１０が有するＧＰＳ（全地球測位システム）の機能によって画像の撮影時に取得され、撮影した画像の画像データのヘッダ情報（例えば、Ｅｘｉｆ情報）として格納された位置情報を利用することができる。
【００９１】
続いて、変更したり新規追加されたタグボタン（第８タグボタン）がタップされると、表示制御部２０は、レイアウト再生を開始する。
【００９２】
レイアウト再生では、第８タグボタンがタップされた後、例えば、前述のふりふり再生、シーソー再生、バブル再生、タッチ再生、テンポ再生、カレンダー再生等を利用して、撮影日時の新しい順番で所定数の画像（の主要被写体領域３２）がタップされて選択される。
上記タッチ操作をタッチ操作検出部１４が検出した場合、表示制御部２０は、選択された所定数の画像を、撮影日時の新しい順番で配置し、配置した所定数の画像の上下（天地）を反転し、上下を反転した所定数の画像全体の上下を反転する。
【００９３】
例えば、Ｎｏ．１〜Ｎｏ．４の４枚の画像が選択された場合について考えてみる。Ｎｏ．１〜Ｎｏ．４の順番で撮影日時が古くなる画像である。この場合、表示制御部２０は、図１１（Ａ）に示すように、選択された４枚の画像を、撮影日時の新しいＮｏ．１〜Ｎｏ．４の順番で配置する。そして、同図（Ｂ）に示すように、配置した４枚の画像の上下を反転し、上下を反転した４枚の画像全体の上下を反転する。
【００９４】
レイアウト再生では、記憶の確かな撮影日時の新しい順に画像を選択配置することにより、ユーザの作業効率を向上させることができるとともに、画像全体の上下を反転することにより、画像の選択配置順序とは逆の、撮影日時の古い順番で配置された点対称性のある画像全体を表示することができる。
レイアウト再生は、例えば、撮影日時の古い順番に眺めることができるフォトブックや電子フォトアルバムなどのレイアウトに利用可能である。
【００９５】
続いて、変更したり新規追加されたタグボタン（第９タグボタン）がタップされると、表示制御部２０は、撮影場所再生を開始する。
【００９６】
第９タグボタンがタップされたことを、タッチ操作検出部１４が検出した場合、表示制御部２０は、例えば、画像選択部１８により選択されたカテゴリの画像の中から、画像が撮影された時の位置情報に基づいて、所定の場所で撮影された画像を選択して表示する。
例えば、ユーザの指示により撮影場所として東京が指定された場合、表示制御部２０は、東京で撮影された画像を選択して表示する。
【００９７】
あるいは、表示制御部２０は、例えば、画像選択部１８により選択されたカテゴリの画像、ないし、そのカテゴリの画像の中から選択された場所で撮影された画像を、その中の、ある画像の撮影場所から各々の画像の撮影場所までの距離に応じてソートし、ソートした順番で表示することができる。
また、表示制御部２０は、選択した場所で撮影された画像を、撮影日時の順番や類似画像の評価値の順番で表示したり、撮影日時の順番や類似画像の評価値の順番とソートした順番とを組み合わせて表示したりすることもできる。
【００９８】
さらに、表示制御部２０は、前述の表示切替部により、所定の順番として、画像選択部１８により選択されたカテゴリの画像を、画像の撮影日時の順番で表示するか、画像選択部１８により選択されたカテゴリの画像の中から、所定の類似画像を選択し、類似画像を、類似画像の評価値の順番で表示するか、画像選択部１８により選択されたカテゴリの画像、ないし、選択した場所で撮影された画像を、ある画像の撮影場所から各々の画像の撮影場所までの距離の順番で表示するかを切り替えて表示することも可能である。
【００９９】
続いて、変更したり新規追加されたタグボタン（第１０タグボタン）がタップされると、表示制御部２０は、類似画像再生を開始する。
【０１００】
第１０タグボタンがタップされたことを、タッチ操作検出部１４が検出した場合、表示制御部２０は、画像選択部１８により選択されたカテゴリの画像の中から、所定の類似画像を選択して表示する。
例えば、ユーザの指示により所定の画像が指定された場合、表示制御部２０は、ユーザにより指定された画像の類似画像を選択して表示する。
【０１０１】
次に、図１２に示すフローチャートを参照しながら、本発明の画像表示方法に従って画像表示装置１０の概略動作を説明する。
【０１０２】
図１（Ａ）に示すように、タッチパネル１２の画面には、複数のアプリケーションプログラムのアイコン２６が並べて表示されている。
本実施形態の場合、ユーザは、タッチ操作により所定のアイコン２６を指でタップして、本発明の画像表示方法を実行するカメラアプリのプログラムを起動する（ステップＳ１）。ユーザは、このカメラアプリを利用して画像の撮影ないし表示を行う。
【０１０３】
カメラアプリを起動すると、タッチパネル１２の画面の右辺に沿って、５つのタグボタン３０ａ〜３０ｅが並んで表示される。これら５つのタグボタン３０ａ〜３０ｅに対応するカテゴリを表すタグ情報は、好きな画像、気になる画像、大事な画像、見たい・見せたい画像、とりあえず撮影である。
ユーザは、まず、５つのタグボタン３０ａ〜３０ｅのうちの１つをタップして選択する（ステップＳ２）。本実施形態では、第１タグボタン３０ａがタップされ、選択されたものとする。
【０１０４】
続いて、ユーザは、タッチ操作により、指をタッチパネル１２の画面に接触させた状態でなぞって、図１３（Ａ）に示すように、これから撮影する画像において、主要被写体が含まれる領域（主要被写体領域）を表す表示枠４２を描いて指定する（ステップＳ３）。
ユーザが主要被写体領域を表す表示枠４２を指定すると、タッチ操作検出部１４が主要被写体領域を表す表示枠４２の情報（枠情報）を検出する。
【０１０５】
ここで、主要被写体領域を表す表示枠は閉ループであることが望ましいが、閉ループでない場合には、描画の始点と終点を接続して閉ループにして枠情報を検出してもよい。主要被写体領域を表す表示枠４２の形状は、例えば、円形、三角形、四角形の他、同図（Ｂ）に示すような任意の形状でもよい。なお、枠情報は、主要被写体領域を囲む囲み線のみでなく、主要被写体領域を指定するものであれば何でもよい。
また、主要被写体領域を表す表示枠４２は、１枚の画像を撮影するたびに設定してもよいし、あるいは、主要被写体領域を表す表示枠４２を設定しない場合には、前回設定した表示枠の情報や、表示枠を設定しない場合に使用するデフォルトの表示枠の情報を利用することができる。
【０１０６】
ユーザは、主要被写体領域を表す表示枠４２を描いて指定した後、主要被写体領域を表す表示枠４２内に主要被写体が収まるようにしてシャッタボタン２８を押す。これに応じて、画像撮影部２４は、画像を撮影し（ステップＳ４）、撮影した画像の画像データに対して、ユーザがタップして選択した第１タグボタン３０ａに対応するカテゴリを表すタグ情報、および、ユーザが指定した枠情報を付与する（ステップＳ５）。カテゴリを表すタグ情報および枠情報が付与された画像の画像データは画像保存部１６に保存される（ステップＳ６）。
【０１０７】
このように、カテゴリを表すタグ情報および枠情報を指定してから画像を撮影し、指定したカテゴリを表すタグ情報および枠情報を、撮影した画像に付与することにより、画像の撮影後に、カテゴリを表すタグ情報および枠情報を、それぞれの画像に人手で付与する手間と時間を大幅に節約することができる。これに対し、後述するように、撮影した後の画像に人手でカテゴリを表すタグ情報および枠情報を付与するのは非常に手間と時間がかかって大変である。また、カテゴリを表すタグ情報に基づいて、撮影した膨大な数の画像を仕分け用フォルダに自動で仕分けしてもよい。
【０１０８】
なお、カメラアプリを使用して画像表示装置１０で撮影した画像だけでなく、他のデジタルカメラ等で撮影した既存の画像を画像保存部１６に保存することもできる。この場合、これらの画像には、カテゴリを表すタグ情報および枠情報が含まれていないため、これらの情報を別途付与する必要がある。例えば、カテゴリを表すタグ情報はユーザが人手で設定することができ、枠情報はユーザが人手で設定してもよいし、デフォルトの枠情報を利用して自動で設定することもできる。
【０１０９】
次に、ユーザは、５つのタグボタン３０ａ〜３０ｅのうちの１つをタップして選択する（ステップＳ７）。本実施形態の場合、第１タグボタン３０ａがタップされ、選択されたものとする。
【０１１０】
これに応じて、画像選択部１８は、カテゴリを表すタグ情報に基づいて、タッチ操作により指定されたカテゴリを表すタグ情報に対応するカテゴリの画像を、画像保存部１６に保存された画像の中から選択する（ステップＳ８）。
そして、表示制御部２０は、枠情報に基づいて、画像選択部１８により選択されたカテゴリの画像の主要被写体領域を抽出し、抽出した主要被写体領域を、タッチ操作により指定されたカテゴリを表すタグ情報に対応する画像表示手順に従って、所定の順番でタッチパネル１２の画面上に表示する（ステップＳ９）。
【０１１１】
本実施形態の場合、表示制御部２０は、ふりふり再生を開始する。ふりふり再生の具体的な画像表示手順は前述の通りである。つまり、表示制御部２０は、第１タグボタン３０ａの位置から画像（の主要被写体領域）を引き出し、主要被写体領域を表す枠情報に基づいて、各々の画像の主要被写体領域を表示するとともに、表示中の画像を、振り子のように揺らして表示する。
【０１１２】
このように、画像表示装置１０では、画像保存部１６に保存された膨大な数の画像の中から、タッチ操作により指定されたカテゴリを表すタグ情報に対応するカテゴリの画像を選択し、枠情報に基づいて、選択されたカテゴリの画像から、ユーザが最も関心のある注目領域である主要被写体領域を抽出し、抽出した主要被写体領域を、タッチ操作により指定されたカテゴリを表すタグ情報に対応する画像表示手順に従って、所定の順番でタッチパネル１２の画面上に効率良く再生表示することができる。
【０１１３】
なお、カメラアプリを起動して使用することは必須ではない。例えば、画像表示装置１０がデジタルカメラの場合には、スマートフォン等の携帯端末においてカメラアプリが既に起動された状態と同じと考えることができる。
【０１１４】
本発明の画像表示方法は、例えば、画像表示方法の各々のステップをコンピュータに実行させるためのプログラムにより実施することも可能である。このプログラムは、例えば、コンピュータ読み取り可能な記録媒体に記録して提供することができる。
【０１１５】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【０１１６】
１０  画像表示装置
１２  タッチパネル
１４  タッチ操作検出部
１６  画像保存部
１８  画像選択部
２０  表示制御部
２２  表示手順設定部
２４  画像撮影部
２６  アイコン
２８  シャッタボタン
３０ａ〜３０ｅ  タグボタン
３２  主要被写体領域
３４  線
３６  シーソー
３８  隣接画像情報
４０  地図
４２  表示枠
【図１】
0005802171.tif 000002
【図２】
0005802171.tif 000003
【図３】
0005802171.tif 000004
【図４】
0005802171.tif 000005
【図５】
0005802171.tif 000006
【図７】
0005802171.tif 000007
【図８】
0005802171.tif 000008
【図９】
0005802171.tif 000009
【図１０】
0005802171.tif 000010
【図１１】
0005802171.tif 000011
【図１２】
0005802171.tif 000012
【図１３】
0005802171.tif 000013
【図６】
0005802171.tif 000014